(57)【特許請求の範囲】
【請求項１】
画像データを入力する画像入力手段と、
前記画像入力手段により入力した画像データに対して、圧縮パラメータに基づいた圧縮を含む各種の処理を施す画像処理手段と、
前記画像処理手段でのパラメータを設定する設定手段と、
を有し、
前記設定手段はユーザが選択可能な項目として、入力した画像の特徴に応じた第１のモード選択項目と第２のモード選択項目を有する複数のモードが割り当てられた複数のモード選択項目と、相対的に異なる画質が割り当てられた複数の画質選択項目と、を有する画像処理装置であって、
前記複数のモード選択項目のいずれの項目を選択するかによって、前記画質選択項目のそれぞれに割り当てられる前記圧縮パラメータが、変化するように制御する設定制御手段と、を更に有し、
該設定制御手段は、
前記複数のモード選択項目のいずれか１つのモード選択項目が、前記設定手段を介して、ユーザにより選択された後に、前記複数の画質選択項目の何れか１つの画質選択項目を、前記設定手段を介して、ユーザにより選択可能にし、
前記設定手段を介して前記第１のモード選択項目がユーザにより選択された後に該設定手段を介して選択された画質選択項目と、前記設定手段を介して前記第２のモード選択項目がユーザにより選択された後に該設定手段を介して選択された画質選択項目とが同じであっても、前記第１のモード選択項目がユーザにより選択された後に前記画質選択項目が選択されたうえで利用される圧縮パラメータとは異なる圧縮パラメータを、前記第２のモード選択項目がユーザにより選択された後に該画質選択項目が選択されたことに応じて、利用可能とする、ことを特徴とする画像処理装置。
【請求項２】
前記圧縮パラメータは圧縮率であることを特徴とする請求項１に記載の画像処理装置。
【請求項３】
前記設定手段は、
前記モード選択項目と前記画質選択項目とを表示する表示手段を有し、
前記表示手段に表示される前記画質選択項目は、前記モード選択項目のいずれの項目を選択するかによっては変化しないことを特徴とする請求項１に記載の画像処理装置。
【請求項４】
前記画像入力手段は原稿上の画像を読取る画像読取手段を含み、
前記設定手段は、前記画像読取手段のパラメータをも設定することを特徴とする請求項１に記載の画像処理装置。
【請求項５】
前記画像処理手段はＪＰＥＧ圧縮を行なう手段であって、
前記圧縮パラメータは量子化テーブルであることを特徴とする請求項１に記載の画像処理装置。
【請求項６】
前記複数のモード選択項目は、文字モード、文字／写真モード、及び写真モードが割り当てられた３つのモード選択項目を有し、
前記複数の画質選択項目は、高画質、通常、低画質という画質が割り当てられた３つの画質選択項目を有することを特徴とする請求項１記載の画像処理装置。
【請求項７】
圧縮パラメータに基づいて画像データを圧縮する圧縮手段を有し、
画像の特徴に応じた第１のモード選択項目と第２のモード選択項目を有する複数の画像処理モード及び複数の画質項目が、ユーザに選択可能に用意された画像処理装置の制御方法であって、
前記複数のモード選択項目のいずれか1つのモード選択項目が、ユーザにより選択された後に、前記複数の画質選択項目の何れか1つの画質選択項目を、ユーザにより選択可能にし、
前記第１のモード選択項目がユーザにより選択された後にユーザにより選択された画質選択項目と、前記第２のモード選択項目がユーザにより選択された後にユーザにより選択された画質選択項目が同じであっても、前記第１のモード選択項目がユーザにより選択された後に前記画質選択項目が選択されたうえで利用される圧縮パラメータとは異なる圧縮パラメータを、前記第２のモード選択項目がユーザにより選択された後に該画質選択項目が選択されたことに応じて、利用可能とする、ことを特徴とする画像処理装置の制御方法。
【請求項８】
圧縮パラメータに基づいて画像データを圧縮する圧縮手段を有し、
画像の特徴に応じた第１のモード選択項目と第２のモード選択項目を有する複数の画像処理モード及び複数の画質項目が、ユーザに選択可能に用意された画像処理装置の制御プログラムであって、
前記制御プログラムを実行することにより、画像処理装置は、
前記複数のモード選択項目のいずれか1つのモード選択項目が、ユーザにより選択された後に、前記複数の画質選択項目の何れか1つの画質選択項目を、ユーザにより選択可能にし、
前記第１のモード選択項目がユーザにより選択された後にユーザにより選択された画質選択項目と、前記第２のモード選択項目がユーザにより選択された後にユーザにより選択された画質選択項目が同じであっても、前記第１のモード選択項目がユーザにより選択された後に前記画質選択項目が選択されたうえで利用される圧縮パラメータとは異なる圧縮パラメータを、前記第２のモード選択項目がユーザにより選択された後に該画質選択項目が選択されたことに応じて、利用可能とする、ことを特徴とする画像処理装置の制御プログラム。
【発明の詳細な説明】
【０００１】
【発明の属する技術分野】
本発明は入力画像を圧縮する画像処理装置に関する。特に、画像モード（例えば文字モード／写真モードなど）及び圧縮パラメータを選択可能な画像処理装置に関する。
【０００２】
【従来の技術】
従来、この種の画像処理装置としては、例えば、スキャナや複写機といったものがあり、画像モードとして文字モードや写真モード等が選択でき、更に、圧縮パラメータを選択できるものが知られている。
【０００３】
このような、文字モードや写真モードなどの画像モードが選べる複写機やスキャナにおいては、画質と圧縮率とを考慮して様々な原稿に対応できる圧縮パラメータ（量子化テーブル）を非常に多く用意していた。そして、ユーザがこれらの圧縮パラメータから自由に選択する構成としていた。
【０００４】
【発明が解決しようとする課題】
しかしながら、上記した従来技術の場合には、操作部に表示されるパラメータの数が多くなりユーザの操作が煩雑になる問題点があった。
【０００５】
本発明は上記の従来技術の課題を解決するためになされたもので、その目的とするところは、ユーザフレンドリーで操作性に優れた画像処理装置及びその制御方法を提供することにある。
【０００６】
【課題を解決するための手段】
上記目的を達成するため、本発明に係る装置は、
画像データを入力する画像入力手段と、
前記画像入力手段により入力した画像データに対して、圧縮パラメータに基づいた圧縮を含む各種の処理を施す画像処理手段と、
前記画像処理手段でのパラメータを設定する設定手段と、
を有し、
前記設定手段はユーザが選択可能な項目として、入力した画像の特徴に応じた第１のモード選択項目と第２のモード選択項目を有する複数のモードが割り当てられた複数のモード選択項目と、相対的に異なる画質が割り当てられた複数の画質選択項目と、を有する画像処理装置であって、
前記複数のモード選択項目のいずれの項目を選択するかによって、前記画質選択項目のそれぞれに割り当てられる前記圧縮パラメータが、変化するように制御する設定制御手段と、を更に有し、
該設定制御手段は、
前記複数のモード選択項目のいずれか1つのモード選択項目が、前記設定手段を介して、ユーザにより選択された後に、前記複数の画質選択項目の何れか1つの画質選択項目を、前記設定手段を介して、ユーザにより選択可能にし、
前記設定手段を介して前記第１のモード選択項目がユーザにより選択された後に該設定手段を介して選択された画質選択項目と、前記設定手段を介して前記第２のモード選択項目がユーザにより選択された後に該設定手段を介して選択された画質選択項目とが同じであっても、前記第１のモード選択項目がユーザにより選択された後に前記画質選択項目が選択されたうえで利用される圧縮パラメータとは異なる圧縮パラメータを、前記第２のモード選択項目がユーザにより選択された後に該画質選択項目が選択されたことに応じて、利用可能とする、ことを特徴とする。
【０００７】
前記圧縮パラメータは圧縮率であることを特徴とする。
【０００８】
前記設定手段は、
前記モード選択項目と前記画質選択項目とを表示する表示手段を有し、
前記表示手段に表示される前記画質選択項目は、前記モード選択項目のいずれの項目を選択するかによっては変化しないことを特徴とする。
【０００９】
前記画像入力手段は原稿上の画像を読取る画像読取手段を含み、
前記設定手段は、前記画像読取手段のパラメータをも設定することを特徴とする。
【００１０】
前記画像処理手段はＪＰＥＧ圧縮を行なう手段であって、
前記圧縮パラメータは量子化テーブルであることを特徴とする。
【００１１】
前記複数のモード選択項目は、文字モード、文字／写真モード、及び写真モードが割り当てられた３つのモード選択項目を有し、
前記複数の画質選択項目は、高画質、通常、低画質という画質が割り当てられた３つの画質選択項目を有することを特徴とする。
【００１２】
前記設定制御手段は、
文字モードでは画像データのうち高周波のデータについて保存するように前記画質選択項目に割り当てられる前記圧縮パラメータを設定し、
写真モードでは画像データのうち高周波のデータを切り捨てて高い圧縮率となるように前記画質選択項目に割り当てられる前記圧縮パラメータを設定することを特徴とする。
【００１３】
上記目的を達成するため、本発明に係る方法は、
圧縮パラメータに基づいて画像データを圧縮する圧縮手段を有し、
画像の特徴に応じた第１のモード選択項目と第２のモード選択項目を有する複数の画像処理モード及び複数の画質項目が、ユーザに選択可能に用意された画像処理装置の制御方法であって、
前記複数のモード選択項目のいずれか１つのモード選択項目が、ユーザにより選択された後に、前記複数の画質選択項目の何れか１つの画質選択項目を、ユーザにより選択可能にし、
前記第１のモード選択項目がユーザにより選択された後にユーザにより選択された画質選択項目と、前記第２のモード選択項目がユーザにより選択された後にユーザにより選択された画質選択項目が同じであっても、前記第１のモード選択項目がユーザにより選択された後に前記画質選択項目が選択されたうえで利用される圧縮パラメータとは異なる圧縮パラメータを、前記第２のモード選択項目がユーザにより選択された後に該画質選択項目が選択されたことに応じて、利用可能とする、ことを特徴とする。
【００１４】
上記目的を達成するため、本発明に係るプログラムは、
圧縮パラメータに基づいて画像データを圧縮する圧縮手段を有し、
画像の特徴に応じた第１のモード選択項目と第２のモード選択項目を有する複数の画像処理モード及び複数の画質項目が、ユーザに選択可能に用意された画像処理装置の制御プログラムであって、
前記制御プログラムを実行することにより、画像処理装置は、
前記複数のモード選択項目のいずれか1つのモード選択項目が、ユーザにより選択された後に、前記複数の画質選択項目の何れか1つの画質選択項目を、ユーザにより選択可能にし、
前記第１のモード選択項目がユーザにより選択された後にユーザにより選択された画質選択項目と、前記第２のモード選択項目がユーザにより選択された後にユーザにより選択された画質選択項目が同じであっても、前記第１のモード選択項目がユーザにより選択された後に前記画質選択項目が選択されたうえで利用される圧縮パラメータとは異なる圧縮パラメータを、前記第２のモード選択項目がユーザにより選択された後に該画質選択項目が選択されたことに応じて、利用可能とする、ことを特徴とする。
【００１５】
【発明の実施の形態】
以下に、図面を参照して、この発明の好適な実施の形態を例示的に詳しく説明する。ただし、この実施の形態に記載されている構成要素の相対配置、数値等は、特に特定的な記載がない限りは、この発明の範囲をそれらのみに限定する趣旨のものではない。
【００１６】
（第１の実施の形態）
［装置概略］
図１は本発明の第１の実施の形態としての画像処理装置の概略構成を示すブロック図である。
【００１７】
画像読取部１０９は、レンズ１０１、ＣＣＤセンサ１０２、アナログ信号処理部１０３等により構成され、レンズ１０１を介しＣＣＤセンサ１０２に結像された原稿画像１００が、ＣＣＤセンサ１０２によりモノクロのアナログ電気信号に変換される。変換された画像情報は、アナログ信号処理部に入力され、サンプル＆ホールド、ダークレベルの補正等が行われた後にアナログ・デジタル変換（Ａ／Ｄ変換）される。このようにして変換されたデジタル信号は、画像処理部１０４に入力される。
【００１８】
画像処理部１０４では、シェーディング補正、γ補正等の読み取り系で必要な補正処理や、スムージング処理、エッジ強調、圧縮／伸張処理などが行われ、プリンタ部１０５に出力される。
【００１９】
従来からさまざま圧縮法、ＭＲ，ＭＭＲ，ＭＨ，ＪＢＩＧ，ＪＰＥＧなどが提案されているが、その中でも特にＪＰＥＧ圧縮法は、写真などのピクトリアルなものに対してよく用いられている手法の一つである。そこで、ここでは画像処理部１０４においてＪＰＥＧ圧縮を行なうものとする。ＪＰＥＧ圧縮法には、量子化テーブルというパラメータがあり、このパラメータを変えることにより圧縮率を可変にしている。
【００２０】
プリンタ部１０５は、レーザ等からなる露光制御部（図示せず）、画像形成部（図示せず）、転写紙の搬送制御部（図示せず）等により構成され、入力された画像信号により転写紙上に画像を記録する。
【００２１】
また、ＣＰＵ回路部１１０は、ＣＰＵ１０６、ＲＯＭ１０７、ＲＡＭ１０８等により構成され、画像読取部１０９、画像処理部１０４、プリンタ部１０５、操作部１１３等を制御し、本装置のシーケンスを統括的に制御する。
【００２２】
操作部１１３には、ＲＡＭ１１１、ＲＯＭ１１２が予め用意されており、ＵＩ上に文字を表示したり、ユーザが設定した情報を記憶しておくことが可能となっている。
【００２３】
ユーザによって操作部１１３で設定された情報は、ＣＰＵ回路部１１０を介して、画像読取部１０９、画像処理部１０４、プリンター部１０５などに送られる構成となっている。
【００２４】
［画像処理部］
次に、図２を用いて画像処理部１０４について説明する。図２は、本発明の第１の実施の形態としての画像処理装置の画像処理部１０４の概略構成を示すブロック図である。
【００２５】
図１のアナログ信号処理部１０３より出力されるデジタル画像信号は、シェーディング補正部２０１に入力される。シェーディング補正部２０１では、原稿を読みとるセンサのばらつき及び、原稿照明用ランプの配光特性の補正を行っている。
【００２６】
補正演算された画像輝度信号は、圧縮するためにＪＰＥＧ圧縮部２０２へ入力され、所定の量子化テーブルを用いた圧縮が行われる。この量子化テーブルは、圧縮をおこなう為に重要なパラメータであり、ＣＰＵ回路部１１０で設定されている。
【００２７】
ＪＰＥＧ圧縮部２０２で圧縮された信号は、ハードディスク（以降ＨＤＤと略する）２０３に送られ、記憶される構成となっている。また、ＨＤＤ２０３に書き込みながら同時に読み出された信号は、ＪＰＥＧ伸張部２０４へと入力される。
【００２８】
ＪＰＥＧ伸張部２０４は、圧縮された信号を解凍し、輝度／濃度変換部２０５へ入力する構成となっている。輝度／濃度変換部２０５では、入力された輝度信号を濃度データにＬｏｇ変換している。
【００２９】
あと、図示していないが、輝度／濃度変換部２０５から出力された信号は、ガンマ補正やフィルタ処理やディザ処理など様々な処理がなされてプリンターへ出力される構成となっている。
【００３０】
［操作部］
図３は、本発明の第１の実施の形態としての画像処理装置の操作部に表示される表示画面の例を示したものである。
【００３１】
不図示のコピーボタンを押すことにより、図３で設定された状態で複写する構成となっている。
【００３２】
３０１，３０２，３０３は、コピー動作する際に画像モードを切り替える為のボタンである。
【００３３】
ここでいう画像モードとは、スキャナで読みとった画像に対しておこなう画像処理パラメータの切り替えのことを指している。
【００３４】
例えばボタン３０１により文字モードを選択した場合、エッジ強調のフィルタを強めにして、階調のハイライトを飛ばし気味にし、かつ、高濃度部を潰し気味にするなどのγ設定を行なう。
【００３５】
また、ボタン３０２により文字／写真モードを選択した場合、エッジ強調を中位の強さにして、階調をリニアにするなどのγ設定を行なう。
【００３６】
同様にボタン３０３により写真モードを選択した場合、エッジ強調を弱めにしてモアレを低減させ、階調をリニアにするγ設定を行なう。
【００３７】
次に３０４，３０５，３０６だが、これは、画質を指定する為のものである。圧縮率と画質とは、密接な関係があり、圧縮率を上げると画質が悪くなる傾向がある。そこで、これらの選択項目は、実質的には圧縮率（量子化テーブル）を指定するものであるといえる。
【００３８】
高画質ボタン３０４は、画質を優先にして、圧縮率が低くなるように設定する為のものである。
【００３９】
これにより、画像データがＨＤＤやメモリを占有する領域が増えてしまうが、良好な画質でデータを圧縮できることになる。
【００４０】
一方、低画質ボタン３０６は、画質を犠牲にして、圧縮率が高くなるように設定する為のものである。これは、画質が少々悪くともＨＤＤやメモリに多くの画像データを保存したいというユーザの為に用意されている。
【００４１】
また、このモードは、画像を小さなサイズまで圧縮できるので、ネットワークやメディアを利用したデータ転送に向いているとされている。
【００４２】
３０５の通常というボタンは、３０４の高画質と３０６の低画質との中間の圧縮率に設定する為のものである。
【００４３】
これにより、ある程度、画質と圧縮率とのバランスをとった設定ができるようにしてある。これらの圧縮は、前述したようにＪＰＥＧ圧縮を考えている。
【００４４】
しかし、ＪＰＥＧによる圧縮は、公知の技術であるため、ここでは、量子化テーブルについてのみ説明する。
【００４５】
（ＪＰＥＧ圧縮の為の量子化テーブル）
図４、図５は、本実施の形態で使用した量子化テーブルである。輝度情報用のものが図４であり、彩度情報用のものが図５である。
【００４６】
縦軸がｑファクターと呼ばれているものであり、８×８のブロックで圧縮処理する為、６４個の数で構成されている。横軸が量子化テーブルと呼ばれているものであり、数が大きくなるほど高画質に圧縮できる仕組みになっている。しかし、圧縮率は下がることになる。
【００４７】
本実施の形態では、網で示した部分の４０１，４０２，４０３，４０４，４０５，４０６，４０７，４０８，４０９，４１０が実際に使用する量子化テーブルである。
【００４８】
圧縮でこれらのテーブルを使用する際には、図４の輝度情報用テーブルと図５の彩度情報用テーブルとを組み合わせて使用する。例えば４０１と４０６とを組み合わせて用いる。同様に４０２，４０７とのペア、４０３，４０８とのペア、４０４，４０９とのペア、４０５，４１０とのペアになる。
【００４９】
図４、５に示した量子化テーブル群は、ＲＯＭ１０７に格納され、設定が行なわれると、選択された量子化テーブルのみ読出されてＲＡＭ１０８に格納される。このＲＡＭ１０８に格納された量子化テーブルを用いて画像処理部１０４にて圧縮を行なう。量子化テーブルの選択はＣＰＵ１０６が、操作部１１３にて設定されたモードのに基づいて行なう。
【００５０】
（画像モードとＱテーブルとの関係）
それでは次に、量子化テーブルと画像モードとの関係について説明する。
【００５１】
まず、図３の表示画面で、文字モードをボタン３０１により選択した場合、３０４，３０５，３０６の各画質選択ボタンには、図４，図５で説明した量子化テーブルがそれぞれ異なる組み合わせで割り当てられる。
【００５２】
例えば、高画質ボタン３０４には量子化テーブル４０５と４１０とが割り当てられ、通常ボタン３０５には量子化テーブル４０４と４０９とが割り当てられ、低画質ボタン３０６には量子化テーブル４０３と４０８とが割り当てられる。いうまでもなく、３０６の低画質ボタンを選択したときが、この中ではもっとも圧縮率が高くなることになる。
【００５３】
一方、ボタン３０２により文字／写真モードを選択した場合、上記とは異なる量子化テーブルの組み合わせが高画質、通常、低画質の各ボタンに割り当てられる。
【００５４】
つまり、文字／写真モードのときには、高画質ボタン３０４に量子化テーブル４０４と４０９とが割り当てられ、通常ボタン３０５に量子化テーブル４０３と４０８とが割り当てられ、低画質ボタン３０６に量子化テーブル４０２と４０７が割り当てられる。
【００５５】
更に、写真モードのときには、高画質ボタン３０４には量子化テーブル４０３と４０８とが割り当てられ、通常ボタン３０５には量子化テーブル４０２と４０７とが割り当てられ、低画質ボタン３０６には量子化テーブル４０１と４０６とが割り当てられる。
【００５６】
このように、画像モード毎に、最適な量子化テーブル選択肢を用意しておくことにより、画像に対して、より最適な量子化テーブルを使用した圧縮が可能となる。
【００５７】
前述の文字モードと文字／写真モードとでは、写真部がない文字モードの方が画像中にエッジ情報が多い為、高周波の周波数成分まで保存した圧縮ができる量子化テーブルを選択肢に割り当てる構成としてある。
【００５８】
同様な考えで写真モードは、写真にはエッジ情報が少ないために、圧縮率が稼ぎやすい量子化テーブルを割り当てる構成としてある。
【００５９】
このような構成にすることにより、煩雑にないやすい量子化テーブルの選択を効率よく選べるようにしてある。つまり、操作部上の文字モードや写真モードといった画像モードごとに、予め決めておいた最適な量子化テーブル幾つか選択できるような構成にしておくことにより、すべての圧縮パラメータ（量子化テーブル）を一度に操作部上に表示する必要がなくなり、操作性の向上が図れる効果がある。
【００６０】
具体的には、図３に示すように、操作画面上に３つの画質選択項目を用意するのみで、実質的には、図４、図５に示した４０１〜４０５（それぞれ４０６〜４１０との組み合わせ）の５つの量子化テーブルを選択することができる。そしてユーザは、モードとの関係から画質を選択する必要は無く、どのモードでも３段階のいずれを選ぶかのみ考慮すればよい。
【００６１】
（第２の実施の形態）
第２の実施の形態における基本的な装置構成で上述した第１の実施の形態と同様であるため、同一番号を付け説明を省略する。
【００６２】
第１の実施の形態では高画質／通常／低画質のボタンに対して、モードによって異なる圧縮パラメータとしての量子化テーブルを割り当てたが、本実施の形態では、図６の６０１〜６０３のようにファイルサイズ大／中／小という選択肢の表現方法を用いている。この場合にも、上記第１の実施の形態と同様の制御を行い、ボタンに割り当てる圧縮パラメータをモード毎に変更することにより、同様の効果をえることができる。更に、モードごとに低速／中速／高速の内の１項目を選択するように表示してもよい。
【００６３】
（他の実施の形態）
上記実施の形態では、選択項目の数は３つとしているが、本発明はこれに限定されるものではなく、５つや７つ、或いはそれ以上の複数の選択項目を設定してもよい。この場合にも、量子化テーブルの割り当て数を変えることで、項目数以上の量子化テーブルから、モードに応じた量子化テーブルを選択可能とすることができる。
【００６４】
割り当てる量子化テーブルについても、本実施の形態で示したものに限定したものではなく、他のテーブルを割り当てても同様な効果が得られることは言うまでもない。
【００６５】
また、これらの処理は、白黒画像のみではなく、カラー画像に対しても同様な効果が得られることも言うまでもない。
【００６６】
上記実施の形態では、圧縮方法としてＪＰＥＧ圧縮を用いているが、本発明はこれに限定するものではなく、他の圧縮方法を用いてもよい。
【００６７】
なお、本発明は、複数の機器（例えばホストコンピュータ、インタフェイス機器、リーダ、プリンタなど）から構成されるシステムに適用しても、一つの機器からなる装置（例えば、コンピュータ端末など）に適用してもよい。
【００６８】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００６９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００７０】
【発明の効果】
本発明によれば、ユーザフレンドリーで操作性に優れた画像処理装置及びその制御方法を提供することができる。
【図面の簡単な説明】
【図１】本発明の第１の実施の形態としての画像処理装置の概略構成を示すブロック図である。
【図２】本発明の第１の実施の形態としての画像処理装置の画像処理部１０４の概略構成を示すブロック図である。
【図３】本発明の第１の実施の形態としての画像処理装置の操作部に表示される表示画面の例を示す図である。
【図４】ＪＰＥＧの量子化テーブルである。
【図５】ＪＰＥＧの量子化テーブルである。
【図６】本発明の第２の実施の形態としての画像処理装置の操作部に表示される表示画面の例を示す図である。
【図１】
0003825940.tif 000002
【図２】
0003825940.tif 000003
【図３】
0003825940.tif 000004
【図４】
0003825940.tif 000005
【図５】
0003825940.tif 000006
【図６】
0003825940.tif 000007